(57)【要約】      （修正有）【課題】枝径を用いた摘果基準に基づき、未経験者でも適切な摘果を支援することができる摘果補助具を提供する。【解決手段】摘果補助具は、板状の基板１１０と、基板のいずれかの辺を所定形状に切り欠くことにより形成され、枝に押し当てて所定形状の切り欠きの最大径と同じ大きさの枝径を計測する計測部１３０とを備える。所定形状の切り欠きの最大径は、所定の葉数、所定の葉重、あるいは所定の葉面積の葉がついていることが推定される枝の径に基づいて予め決められている。【選択図】図１
0003225797.tif 000002
【実用新案登録請求の範囲】
【請求項１】
板状の基板と、
前記基板のいずれかの辺を所定形状に切り欠くことにより形成されている計測部であって、枝に押し当てて前記所定形状の切り欠きの最大径と同じ大きさの枝径を計測する計測部とを備え、
前記所定形状の切り欠きの最大径は、所定の葉数、所定の葉重、あるいは所定の葉面積の葉がついていることが推定される枝の径に基づいて予め決められている、
摘果補助具。
【請求項２】
前記所定の葉数、前記所定の葉重、あるいは前記所定の葉面積は、枝に残す果実数を規定する摘果基準において予め決められている、
請求項１に記載の摘果補助具。
【請求項３】
前記計測部は、樹相に応じて前記所定形状の切り欠きの最大径が異なる複数の計測部を含む、
請求項１または２に記載の摘果補助具。
【請求項４】
前記所定形状は、
前記切り欠きの最大径を直径とする半円形を含む、
請求項１から３のうちいずれか一項に記載の摘果補助具。
【請求項５】
前記複数の計測部は、
表年樹相の第１摘果基準に応じた第１枝径を計測する第１計測部と、
裏年樹相の第２摘果基準に応じた第２枝径を計測する第２計測部とを含み、
前記第１枝径は、前記第２枝径よりも大きい、
請求項１から４のうちいずれか一項に記載の摘果補助具。
【考案の詳細な説明】
【技術分野】
【０００１】
本考案は、摘果補助具に関する。
【背景技術】
【０００２】
果樹園では、様々な目的のため、未成熟の果実を適宜摘果することが知られている。例えば、最終的に収穫する果実を残すための摘果（仕上げ摘果）では、大まかに葉の数や葉の大きさなどを考慮して残す果実の数を決めている。この作業は経験に頼るところが大きく、摘果基準の見極めが困難であった。また、摘果作業は、夏の猛暑の中で行われることが多く、効率的に作業することが求められている。
【０００３】
従来、収穫に適したみかんを簡単に判別するため、異なる摘果時期のそれぞれにおいて正常に成育したみかんの標準径を参考にして、異なる標準径の大きさの切り欠きが形成されたゲージが知られている。このゲージをみかんに押し当てて利用することで、収穫に適したみかんを簡単に判別することができる（例えば、特許文献１参照）。
【先行技術文献】
【特許文献】
【０００４】
【特許文献１】実開昭５１−４６７４８号公報
【考案の概要】
【考案が解決しようとする課題】
【０００５】
しかしながら、収穫する果実を残すために未成熟の果実を摘果する摘果作業では、果実の大きさでは摘果する果実の数を決めることが困難であり、従来の技術を応用することができなかった。また、成長に伴い果実の大きさがすぐに変化するため、果実の大きさを摘果基準とし難く、この点からも従来の技術を応用することができなかった。このため、不慣れな作業者は、適切な摘果を行うことが困難であった。
【０００６】
本考案は、このような事情を考慮してなされたものであり、適切な摘果を支援することができる摘果補助具を提供することを目的の一つとする。
【課題を解決するための手段】
【０００７】
この考案に係る摘果補助具は、以下の構成を採用した。
（１）：この考案の一態様に係る摘果補助具は、板状の基板と、前記基板のいずれかの辺を所定形状に切り欠くことにより形成されている計測部であって、枝に押し当てて前記所定形状の切り欠きの最大径と同じ大きさの枝径を計測する計測部とを備え、前記所定形状の切り欠きの最大径は、所定の葉数、所定の葉重、あるいは所定の葉面積の葉がついていることが推定される枝の径に基づいて予め決められている、ものである。
【０００８】
（２）：上記（１）の態様において、前記所定の葉数、前記所定の葉重、あるいは前記所定の葉面積は、枝に残す果実数を規定する摘果基準において予め決められている、ものである。
【０００９】
（３）：上記（１）または（２）の態様において、前記計測部は、樹相に応じて前記所定形状の切り欠きの最大径が異なる複数の計測部を含む、ものである。
【００１０】
（４）：上記（１）から（３）のうちいずれかの態様において、前記所定形状は、前記切り欠きの最大径を直径とする半円形を含む、ものである。
【００１１】
（５）：上記（１）から（４）のうちいずれかの態様において、前記複数の計測部は、表年樹相の第１摘果基準に応じた第１枝径を計測する第１計測部と、裏年樹相の第２摘果基準に応じた第２枝径を計測する第２計測部とを含み、前記第１枝径は、前記第２枝径よりも大きい、ものである。
【考案の効果】
【００１２】
（１）〜（５）によれば、適切な摘果を支援することができる。
【図面の簡単な説明】
【００１３】
【図１】本実施形態に係る摘果補助具１００の一例を示す図である。
【考案を実施するための形態】
【００１４】
以下、図面を参照し、本考案の摘果補助具の実施形態について説明する。図１は、本実施形態に係る摘果補助具１００の一例を示す図である。本実施形態では、果実がカンキツ「はるみ」という品種である例について説明する。しかしこれに限られず、他のカンキツ系の果実であってもよい。このカンキツ「はるみ」の摘果には、例えば、全体の果実数を減らす粗（あら）摘果（６−７月に実施）、見直し摘果（８月上旬に実施）、仕上げ摘果（８月下旬以降に実施）がある。本実施形態の摘果補助具１００は、主に仕上げ摘果の際に用いることを想定している。一部、粗摘果に用いることも可能である。
【００１５】
摘果補助具１００は、例えば、板状の基板１１０で構成される。基板１１０は、矩形状の平面基板であって、例えばプラスチック、ステンレス、鉄等で製造される。試作品としては、プラスチックの定規を用いて摘果補助具１００を作成した。
【００１６】
この摘果補助具１００は、それぞれ異なる枝径を計測する複数の計測部１３０を備える。複数の計測部１３０は、基板１１０のいずれかの辺を所定形状に切り欠くことにより形成されている。計測部１３０は、円筒形の枝の軸に対して基板１１０の平面が垂直に押し当てられることにより、所定形状に切り欠かれた切り欠きの最大径と同じ大きさの枝径を計測する。
【００１７】
図１の例では、複数の計測部１３０が基板１１０の同じ辺に形成され、半円と直線とを組み合わせた形状（以下、ドーム形状）で切り欠かれている。計測部１３０の形状をドーム形状とすることにより、直線部分が枝のガイドとして機能し、半円部分で枝の外周に接触する。よって、ガイドに沿って摘果補助具１００を円筒状の枝の軸に対して垂直に押し当てることにより、計測部１３０に枝がしっくり収まり、切り欠きの最大径と同じ大きさの枝径を計測しやすくなる。また、基板１１０を削って計測部１３０を形成する場合、例えば矩形などに削る場合に比べてドーム形状の方が削りやすい場合が多く、製造し易くなる。
【００１８】
この切り欠きのドーム形状についてより詳細に説明すると、ドーム形状は、半円形と長方形とを組み合わせた形状である。半円形と長方形との接触部分とには段差がなく、半円形と接する方の長方形の辺の長さが、半円形の直径Ｒと同じ長さである。この直径Ｒが、複数の計測部１３０の各々の最大径である。
【００１９】
複数の計測部１３０は、例えば、第１計測部１３１と、第２計測部１３２と、第３計測部１３３とを含む。第１計測部１３１、第２計測部１３２、および第３計測部１３３の切り欠きの最大径は、所定の葉数、所定の葉重、あるいは所定の葉面積の葉がついていることが推定される枝の径に基づいて予め決められている。この所定の葉数、所定の葉重、あるいは所定の葉面積は、枝に残す果実数を規定する摘果基準において予め決められている。
【００２０】
摘果基準とは、例えば仕上げ摘果における摘果基準であって、基準位置から外側の枝についている葉の葉数（葉の数）、葉重（葉の総量）、あるいは葉面積（葉の総面積）と、基準位置から外側の枝に残す果実の数との割合で定義される。この摘果基準は、果実の種別ごとに予め決められてよい。
【００２１】
第１計測部１３１、第２計測部１３２、および第３計測部１３３は、例えば、樹相に応じて所定形状の切り欠きの最大径が異なる。樹相とは、花芽や果実のつき具合で区別される樹の状態を示すものである。樹相には、花芽や果実が多く新梢が少ない状態（表年＝生殖成長傾向が強い）、花芽や果実が少なく新梢が多い状態（裏年＝栄養成長傾向が強い）、表年と裏年との中間的な状態（標準）などが含まれる。
【００２２】
カンキツ「はるみ」では、一定の葉数（例えば１００枚）や葉重（例えば３５ｇ）に対して１個という第１摘果基準がある。この第１摘果基準は、表年と標準の樹に対するものである。裏年の樹には、一定の葉数（例えば１００枚）や葉重（例えば３５ｇ）に対して１〜３個という第２摘果基準がある。このように、カンキツ「はるみ」の摘果基準は、樹相に応じて異なる。
【００２３】
第１計測部１３１は、仕上げ摘果の表年用であり、第２計測部１３２は、仕上げ摘果の裏年および仕上げ摘果の標準用である。第３計測部１３３は、粗摘果用である。各計測部の大きさは、第１計測部１３１＞第２計測部１３２＞第３計測部１３３という関係である。例えば、第１計測部１３１の最大径Ｒ１は、０．９ｃｍであり、第２計測部１３２の最大径Ｒ２は、０．８ｃｍであり、第３計測部１３３の最大径Ｒ３は、０．７ｃｍである。
【００２４】
これら最大径Ｒ１、Ｒ２は、例えば、カンキツ「はるみ」の表年のサンプルの樹、裏年のサンプルの樹、標準のサンプルの樹を観測した観測データを参照することによって導出した。例えば、観測データを解析することにより、表年の樹では、枝径０．９ｃｍを基準位置としてこの基準位置よりも外側の枝に残す果実の数を１個にすることにより、摘果基準（葉数１００枚あるいは葉重３５ｇ）を満たすことができることがわかった。一方、裏年の樹では、枝径０．８ｃｍを基準位置としてこの基準位置よりも外側の枝に残す果実の数を１〜３個にすることにより、摘果基準を満たすことができることがわかった。このように、これらの観測データを分析することにより、摘果基準の基準位置を樹相に応じた枝径で特定することで、摘果基準を満たし、平均サイズの果実の収穫量が増えることがわかった。
【００２５】
次に、摘果補助具１００の使用方法について説明する。例えば、表年の樹での仕上げ摘果の作業において、作業者は、第１計測部１３１を枝に垂直に押し当てることでぴったりと第１計測部１３１がはまる位置を探し、探し出せた箇所を摘果基準の基準位置に決定する。つまり、この探し出せた箇所よりも外側の枝についている葉の数が１００枚（あるいは葉の総量が３５ｇ）であることが推定される。そして、作業者は、決定した摘果基準の基準位置から外側の枝に残す果実の数を１個とするように、仕上げ摘果を行う。こうすることで、実際に葉を数えなくても摘果基準を満たす仕上げ摘果を実施することができる。
【００２６】
同様にして、標準の樹での仕上げ摘果の作業において、作業者は、第２計測部１３２を枝に垂直に押し当てることでぴったりと第２計測部１３２がはまる位置を探し、探し出せた箇所を摘果基準の基準位置に決定する。そして、作業者は、決定した摘果基準の基準位置から外側の枝に残す果実の数を１個とするように、仕上げ摘果を行う。
【００２７】
また、裏年の樹での仕上げ摘果の作業において、作業者は、第２計測部１３２を枝に垂直に押し当てることでぴったりと第２計測部１３２がはまる位置を探し、探し出せた箇所を摘果基準の基準位置に決定する。そして、作業者は、決定した摘果基準の基準位置から外側の枝に残す果実の数を１〜３個とするように、仕上げ摘果を行う。
【００２８】
このように構成される摘果補助具１００を用いることにより、摘果作業の経験がない者でも、摘果基準を満たす葉数あるいは葉重等を容易に推定することが可能となり、仕上げ摘果の作業効率を向上させることができる。この摘果補助具１００を用いて樹相に応じた摘果基準を満たす仕上げ摘果をした場合、商品価値が高い１８０ｇから２５０ｇの重さの果実割合が増加することが認められた。
【００２９】
また、カンキツ「はるみ」は高品質で需要が多いが、着果量が多く摘果作業に労力がかかる。これまで、摘果基準は「果実１個当り葉数１００」として設定されてきたが、葉数を数えるのに労力がかかるため、一般の農家は経験に基づき、大まかな目測で摘果作業を行っている。このような方法は摘果基準があいまいで、農家の個人差が大きくなり果実の大きさが揃わない。また、表年、標準、裏年に応じた摘果基準は示されて来なかった。このような背景から、摘果補助具１００を用いることにより、摘果作業の経験が無い者でも簡易に仕上げ摘果を行うことができる。
【００３０】
また、従来のように大まかな目測で摘果作業を行う場合、枝ごとに葉数等を数えることは困難であるが、摘果補助具１００を用いることにより、枝を摘果単位として、枝ごとに葉数等を推定することができる。これにより、隔年結果が是正される。カンキツ「はるみ」のように、隔年結果性が強い果実に対しては、特に効果的である。
【００３１】
なお、摘果補助具１００による摘果対象の果実は、カンキツ「はるみ」に限られず、「はるみ」以外の品種でも観測データを積み重ねることにより、摘果基準を満たす枝径を見つけ、見つけた枝径を計測する摘果補助具を製造することが可能である。
【００３２】
本実施形態によらず、果実の大きさを用いて摘果基準を定めようとすると、農園の地理的環境や気候、季節などにより摘果基準の範囲のばらつきが大きくなる。一方、樹を観測した観測データを解析することにより、葉の付き方（葉数、葉重、葉面積等で表される）と、枝径とは、所定の関係にあることが認められた。また、枝径は季節変動を受けにくいことも認められた。これらの解析結果からわかるように、これらの要素による変動が少ない枝径を用いて摘果基準を定めることにより、摘果基準の範囲を安定させることができる。
【００３３】
以上、本考案を実施するための形態について実施形態を用いて説明したが、本考案はこうした実施形態に何等限定されるものではなく、本考案の要旨を逸脱しない範囲内において種々の変形及び置換を加えることができる。
【００３４】
例えば、計測部１３０の所定形状は、ドーム形状に限られず、ガイド機能の直線のない半円だけの形状であってもよく、矩形状であってもよい。
【符号の説明】
【００３５】
１００…摘果補助具、１１０…基板、１３０…複数の計測部、１３１…第１計測部、１３２…第２計測部、１３３…第３計測部
【図１】
0003225797.tif 000003